(57)【要約】【課題】本発明はおもちゃ交通信号機を開示した。【解決手段】柱を含み、前記柱の中には押しチャンバが設置され、前記押しチャンバの中には左右に対称している回転ブロックが設置され、左右の前記回転ブロックの間が連結ロッドにより回転できるように連結され、前記回転ブロックの中には回転溝が設置され、前記前記回転溝の左右端壁の間には固定ロッドが固定的に設置され、前記固定ロッドには回転輪が固定的に設置され、本発明は構造が簡単で、操作が便利であり、指示ライトが独立的に点灯し、異なる交通情報を指示し、また、各指示ライトの点灯時間が固定であり、そして、該おもちゃ交通信号機の形が、垂直と水平との二つの方式で設置されることができ、装置が柔軟で、本体が自由に動ける。【選択図】図１
2020179107.tif 000002
【特許請求の範囲】
【請求項１】
正面視で、柱を含み、前記柱の中には押しチャンバが設置され、前記押しチャンバの中には左右に対称している回転ブロックが設置され、左右の前記回転ブロックの間が連結ロッドにより回転できるように連結され、前記回転ブロックの中には回転溝が設置され、前記前記回転溝の左右端壁の間には固定ロッドが固定的に設置され、前記固定ロッドには回転輪が固定的に設置され、前記回転ブロックにおいて連結ロッドから離れている一端には支えブロックが回転できるように設置され、前記押しチャンバの左右側には押し溝が連通し設置され、前記支えブロックにおいて互いに離れている一端と前記押し溝とがスライドできるように連結され、前記押し溝の中にある前記支えブロックの上端と前記押し溝との間には押圧ばねが固定的に設置され、前記押しチャンバの両側には開け溝が設置され、前記開け溝の中には下端面と地面とが当接している支持板が回転できるように設置され、前記支持板の互いに近接している一端と前記開け溝との間には回転ばねが固定的に設置され、前記押しチャンバの上側には上方に開口した空きチャンバが設置され、前記空きチャンバの下端壁の中には左右に対称しているネジ山溝が連通し設置され、前記空きチャンバの中には昇降ブロックがスライドできるように設置され、前記昇降ブロックの中には左右に対称しているネジ山軸が回転できるように設置され、前記ネジ山軸の間が同期ベルトにより伝動できるように連結され、前記ネジ山軸の下端と前記ネジ山溝とがネジ山により連結され、前記昇降ブロックの中には回転装置が設置され、左側の前記ネジ山軸の上端が上に伸びており、且つ前記回転装置と伝動できるように連結され、前記回転装置の右側にはプッシュ溝が設置され、前記プッシュ溝の中にはプッシュ板がスライドできるように設置され、前記プッシュ板の左端面と前記回転装置とが噛合しており、前記プッシュ溝の上側には開けチャンバが連通し設置され、前記開けチャンバの中には連結軸が回転できるように設置され、前記連結軸の上端面と前記開けチャンバとの間にはトーションばねが固定的に設置され、前記連結軸の右端が外部空間の中に伸びており、且つ前記連結軸の右端には表示パネルが固定的に設置され、前記表示パネルの中には左から右に順次に赤と、黄色いと、緑の三つの色を代表している指示ライトが設置され、前記表示パネルの中には指示装置が設置され、前記指示装置と前記指示ライトとがそれぞれ電気により接続され、
前記指示装置が作動し前記指示ライトを順次に点灯させ交通指示を行うことを特徴とするおもちゃ交通信号機。
【請求項２】
前記回転装置は伝動チャンバを含み、前記伝動チャンバの中には回転軸によりウォームが回転できるように設置され、前記回転軸の左端が外部空間に伸びており、且つ前記回転軸の左端にはねじりブロックが固定的に設置され、前記ウォームの下端にはウォームホイールが噛合し連結され、前記ウォームホイールの前端面には第一傘歯車が固定的に設置され、前記第一傘歯車の前端には第二傘歯車が噛合し設置され、左側の前記ネジ山軸の上端が前記伝動チャンバの中に挿入され、且つ前記第二傘歯車と固定的に連結され、前記伝動チャンバの右側には凹溝が設置され、前記凹溝と前記プッシュ溝とが連通しており、前記凹溝の中には前記プッシュ板と噛合している平歯車が回転できるように設置され、前記平歯車と前記第一傘歯車との間がベルトにより伝動できるように連結され、
前記ねじりブロックを回し前記プッシュ板を上昇させ前記連結軸を垂直にさせ、前記昇降ブロックが下に移動し前記柱と連結されることを特徴とする請求項１に記載のおもちゃ交通信号機。
【請求項３】
前記指示装置は蓄電池を含み、前記蓄電池の右側には回転チャンバが設置され、前記回転チャンバの下端壁にはモータが固定的に設置され、前記モータには前記回転チャンバの中で回転できる半円状の回転盤が伝動できるように連結され、前記回転盤にはスライド溝が設置され、前記スライド溝の下側には環状溝が設置され、前記回転チャンバの左端壁の中には移動溝が連通し設置され、前記移動溝の中には右端が前記回転チャンバの中に挿入される赤信号ロッドがスライドできるように設置され、前記赤信号ロッドの前端面には前記赤信号ロッドを復帰させる復帰部品が固定的に設置され、前記移動溝の左端には左側の前記指示ライトと電気により連結される通電ブロックが固定的に設置され、前記通電ブロックと前記赤信号ロッドとが電気により連結されることができ、前記回転チャンバの右端壁の中には上下に設置される圧着溝が連通し設置され、上側の前記圧着溝が下側の前記圧着溝の後側に位置しており、上側の前記圧着溝の中には黄信号ロッドがスライドできるように設置され、前記黄信号ロッドの左端が前記環状溝の中に挿入され、下側の前記圧着溝の中には左端が前記回転盤と当接している青信号ロッドがスライドできるように設置され、前記黄信号ロッドと、前記青信号ロッド及び前記赤信号ロッドがいずれも前記蓄電池と電気により接続され、前記黄信号ロッドと前記青信号ロッドの前端面にはいずれも前記黄信号ロッドと前記青信号ロッドをそれぞれ復帰させる復帰機構が固定的に設置され、二つの前記圧着溝の右端壁にはそれぞれ電気接続ブロックが固定的に設置され、前記黄信号ロッドの右端が上側の前記電気接続ブロックと当接していなく、前記青信号ロッドの右端と下側の前記電気接続ブロックとが当接しており、前記電気接続ブロックの右端には電線が電気により接続され、上側の前記電線と中間の前記指示ライトとが電気により接続され、下側の前記電線と右側の前記指示ライトとが電気により接続され、
前記回転盤が回転し三つの前記指示ライトを独立的に作動させることを制御することを特徴とする請求項１に記載のおもちゃ交通信号機。
【発明の詳細な説明】
【技術分野】
【０００１】
本発明はおもちゃ技術分野を取り上げて、具体的にはおもちゃ交通信号機である。
【背景技術】
【０００２】
既存のおもちゃ交通信号機は構造が固定であり、折畳む又は伸縮できなく、そして、機能が単一であり、移動性が良くなく、プレイの楽しさが足りなく、従って、既存のおもちゃ交通指示ライトを更に改善する必要があり、プレイの楽しさを高める。
【先行技術文献】
【特許文献】
【０００３】
【特許文献１】中国特許出願公開第１０７３０８６５７号明細書
【発明の概要】
【発明が解決しようとする課題】
【０００４】
本発明の目的はおもちゃ交通信号機を提供し、それは上記の現在の技術中の問題を解決できる。
【課題を解決するための手段】
【０００５】
本発明のおもちゃ交通信号機は、柱を含み、前記柱の中には押しチャンバが設置され、前記押しチャンバの中には左右に対称している回転ブロックが設置され、左右の前記回転ブロックの間が連結ロッドにより回転できるように連結され、前記回転ブロックの中には回転溝が設置され、前記前記回転溝の左右端壁の間には固定ロッドが固定的に設置され、前記固定ロッドには回転輪が固定的に設置され、前記回転ブロックにおいて連結ロッドから離れている一端には支えブロックが回転できるように設置され、前記押しチャンバの左右側には押し溝が連通し設置され、前記支えブロックにおいて互いに離れている一端と前記押し溝とがスライドできるように連結され、前記押し溝の中にある前記支えブロックの上端と前記押し溝との間には押圧ばねが固定的に設置され、前記押しチャンバの両側には開け溝が設置され、前記開け溝の中には下端面と地面とが当接している支持板が回転できるように設置され、前記支持板の互いに近接している一端と前記開け溝との間には回転ばねが固定的に設置され、前記押しチャンバの上側には上方に開口した空きチャンバが設置され、前記空きチャンバの下端壁の中には左右に対称しているネジ山溝が連通し設置され、前記空きチャンバの中には昇降ブロックがスライドできるように設置され、前記昇降ブロックの中には左右に対称しているネジ山軸が回転できるように設置され、前記ネジ山軸の間が同期ベルトにより伝動できるように連結され、前記ネジ山軸の下端と前記ネジ山溝とがネジ山により連結され、前記昇降ブロックの中には回転装置が設置され、左側の前記ネジ山軸の上端が上に伸びており、且つ前記回転装置と伝動できるように連結され、前記回転装置の右側にはプッシュ溝が設置され、前記プッシュ溝の中にはプッシュ板がスライドできるように設置され、前記プッシュ板の左端面と前記回転装置とが噛合しており、前記プッシュ溝の上側には開けチャンバが連通し設置され、前記開けチャンバの中には連結軸が回転できるように設置され、前記連結軸の上端面と前記開けチャンバとの間にはトーションばねが固定的に設置され、前記連結軸の右端が外部空間の中に伸びており、且つ前記連結軸の右端には表示パネルが固定的に設置され、前記表示パネルの中には左から右に順次に赤と、黄色いと、緑の三つの色を代表している指示ライトが設置され、前記表示パネルの中には指示装置が設置され、前記指示装置と前記指示ライトとがそれぞれ電気により接続され、
前記指示装置が作動し前記指示ライトを順次に点灯させ交通指示を行う。
【０００６】
さらなる技術プラン、前記回転装置は伝動チャンバを含み、前記伝動チャンバの中には回転軸によりウォームが回転できるように設置され、前記回転軸の左端が外部空間に伸びており、且つ前記回転軸の左端にはねじりブロックが固定的に設置され、前記ウォームの下端にはウォームホイールが噛合し連結され、前記ウォームホイールの前端面には第一傘歯車が固定的に設置され、前記第一傘歯車の前端には第二傘歯車が噛合し設置され、左側の前記ネジ山軸の上端が前記伝動チャンバの中に挿入され、且つ前記第二傘歯車と固定的に連結され、前記伝動チャンバの右側には凹溝が設置され、前記凹溝と前記プッシュ溝とが連通しており、前記凹溝の中には前記プッシュ板と噛合している平歯車が回転できるように設置され、前記平歯車と前記第一傘歯車との間がベルトにより伝動できるように連結され、
前記ねじりブロックを回し前記プッシュ板を上昇させ前記連結軸を垂直にさせ、前記昇降ブロックが下に移動し前記柱と連結される。
【０００７】
さらなる技術プラン、前記指示装置は蓄電池を含み、前記蓄電池の右側には回転チャンバが設置され、前記回転チャンバの下端壁にはモータが固定的に設置され、前記モータには前記回転チャンバの中で回転できる半円状の回転盤が伝動できるように連結され、前記回転盤にはスライド溝が設置され、前記スライド溝の下側には環状溝が設置され、前記回転チャンバの左端壁の中には移動溝が連通し設置され、前記移動溝の中には右端が前記回転チャンバの中に挿入される赤信号ロッドがスライドできるように設置され、前記赤信号ロッドの前端面には前記赤信号ロッドを復帰させる復帰部品が固定的に設置され、前記移動溝の左端には左側の前記指示ライトと電気により連結される通電ブロックが固定的に設置され、前記通電ブロックと前記赤信号ロッドとが電気により連結されることができ、前記回転チャンバの右端壁の中には上下に設置される圧着溝が連通し設置され、上側の前記圧着溝が下側の前記圧着溝の後側に位置しており、上側の前記圧着溝の中には黄信号ロッドがスライドできるように設置され、前記黄信号ロッドの左端が前記環状溝の中に挿入され、下側の前記圧着溝の中には左端が前記回転盤と当接している青信号ロッドがスライドできるように設置され、前記黄信号ロッドと、前記青信号ロッド及び前記赤信号ロッドがいずれも前記蓄電池と電気により接続され、前記黄信号ロッドと前記青信号ロッドの前端面にはいずれも前記黄信号ロッドと前記青信号ロッドをそれぞれ復帰させる復帰機構が固定的に設置され、二つの前記圧着溝の右端壁にはそれぞれ電気接続ブロックが固定的に設置され、前記黄信号ロッドの右端が上側の前記電気接続ブロックと当接していなく、前記青信号ロッドの右端と下側の前記電気接続ブロックとが当接しており、前記電気接続ブロックの右端には電線が電気により接続され、上側の前記電線と中間の前記指示ライトとが電気により接続され、下側の前記電線と右側の前記指示ライトとが電気により接続され、
前記回転盤が回転し三つの前記指示ライトを独立的に作動させることを制御する。
【発明の効果】
【０００８】
本発明の有益的な効果は：本発明は構造が簡単で、操作が便利であり、指示ライトが独立的に点灯し、異なる交通情報を指示し、また、各指示ライトの点灯時間が固定であり、そして、該おもちゃ交通信号機の形が、垂直と水平との二つの方式で設置されることができ、装置が柔軟で、本体が自由に動ける。
【図面の簡単な説明】
【０００９】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のおもちゃ交通信号機の内部全体構造概略図
【図２】図２は本発明の図１のＡの拡大構造概略図
【図３】図３は本発明の図１のＢの拡大構造概略図
【図４】図４は本発明の図１のＣ―Ｃ方向の構造概略図
【図５】図５は本発明の図４のＤ―Ｄ方向の構造概略図
【図６】図６は本発明の図５のＥ―Ｅ方向の構造概略図
【発明を実施するための形態】
【００１１】
図１〜６を参照し、本発明のおもちゃ交通信号機は、柱１０を含み、前記柱１０の中には押しチャンバ１１が設置され、前記押しチャンバ１１の中には左右に対称している回転ブロック１５が設置され、左右の前記回転ブロック１５の間が連結ロッド１８により回転できるように連結され、前記回転ブロック１５の中には回転溝１６が設置され、前記前記回転溝１６の左右端壁の間には固定ロッド１７が固定的に設置され、前記固定ロッド１７には回転輪１９が固定的に設置され、前記回転ブロック１５において連結ロッド１８から離れている一端には支えブロック１３が回転できるように設置され、前記押しチャンバ１１の左右側には押し溝１２が連通し設置され、前記支えブロック１３において互いに離れている一端と前記押し溝１２とがスライドできるように連結され、前記押し溝１２の中にある前記支えブロック１３の上端と前記押し溝１２との間には押圧ばね１４が固定的に設置され、前記押しチャンバ１１の両側には開け溝２０が設置され、前記開け溝２０の中には下端面と地面とが当接している支持板２１が回転できるように設置され、前記支持板２１の互いに近接している一端と前記開け溝２０との間には回転ばね２２が固定的に設置され、前記押しチャンバ１１の上側には上方に開口した空きチャンバ２４が設置され、前記空きチャンバ２４の下端壁の中には左右に対称しているネジ山溝２３が連通し設置され、前記空きチャンバ２４の中には昇降ブロック２７がスライドできるように設置され、前記昇降ブロック２７の中には左右に対称しているネジ山軸２５が回転できるように設置され、前記ネジ山軸２５の間が同期ベルト２６により伝動できるように連結され、前記ネジ山軸２５の下端と前記ネジ山溝２３とがネジ山により連結され、前記昇降ブロック２７の中には回転装置１００が設置され、左側の前記ネジ山軸２５の上端が上に伸びており、且つ前記回転装置１００と伝動できるように連結され、前記回転装置１００の右側にはプッシュ溝３８が設置され、前記プッシュ溝３８の中にはプッシュ板３９がスライドできるように設置され、前記プッシュ板３９の左端面と前記回転装置１００とが噛合しており、前記プッシュ溝３８の上側には開けチャンバ４０が連通し設置され、前記開けチャンバ４０の中には連結軸４１が回転できるように設置され、前記連結軸４１の上端面と前記開けチャンバ４０との間にはトーションばね４２が固定的に設置され、前記連結軸４１の右端が外部空間の中に伸びており、且つ前記連結軸４１の右端には表示パネル４３が固定的に設置され、前記表示パネル４３の中には左から右に順次に赤と、黄色いと、緑の三つの色を代表している指示ライト４４が設置され、前記表示パネル４３の中には指示装置２００が設置され、前記指示装置２００と前記指示ライト４４とがそれぞれ電気により接続され、
前記指示装置２００が作動し前記指示ライト４４を順次に点灯させ交通指示を行う。
【００１２】
有益的には、前記回転装置１００は伝動チャンバ２８を含み、前記伝動チャンバ２８の中には回転軸３０によりウォーム２９が回転できるように設置され、前記回転軸３０の左端が外部空間に伸びており、且つ前記回転軸３０の左端にはねじりブロック３１が固定的に設置され、前記ウォーム２９の下端にはウォームホイール３２が噛合し連結され、前記ウォームホイール３２の前端面には第一傘歯車３３が固定的に設置され、前記第一傘歯車３３の前端には第二傘歯車３４が噛合し設置され、左側の前記ネジ山軸２５の上端が前記伝動チャンバ２８の中に挿入され、且つ前記第二傘歯車３４と固定的に連結され、前記伝動チャンバ２８の右側には凹溝３６が設置され、前記凹溝３６と前記プッシュ溝３８とが連通しており、前記凹溝３６の中には前記プッシュ板３９と噛合している平歯車３７が回転できるように設置され、前記平歯車３７と前記第一傘歯車３３との間がベルト３５により伝動できるように連結され、
前記ねじりブロック３１を回し前記プッシュ板３９を上昇させ前記連結軸４１を垂直にさせ、前記昇降ブロック２７が下に移動し前記柱１０と連結される。
【００１３】
有益的には、前記指示装置２００は蓄電池５５を含み、前記蓄電池５５の右側には回転チャンバ４７が設置され、前記回転チャンバ４７の下端壁にはモータ５１が固定的に設置され、前記モータ５１には前記回転チャンバ４７の中で回転できる半円状の回転盤５２が伝動できるように連結され、前記回転盤５２にはスライド溝５４が設置され、前記スライド溝５４の下側には環状溝５３が設置され、前記回転チャンバ４７の左端壁の中には移動溝４８が連通し設置され、前記移動溝４８の中には右端が前記回転チャンバ４７の中に挿入される赤信号ロッド４９がスライドできるように設置され、前記赤信号ロッド４９の前端面には前記赤信号ロッド４９を復帰させる復帰部品５０が固定的に設置され、前記移動溝４８の左端には左側の前記指示ライト４４と電気により連結される通電ブロック４６が固定的に設置され、前記通電ブロック４６と前記赤信号ロッド４９とが電気により連結されることができ、前記回転チャンバ４７の右端壁の中には上下に設置される圧着溝５６が連通し設置され、上側の前記圧着溝５６が下側の前記圧着溝５６の後側に位置しており、上側の前記圧着溝５６の中には黄信号ロッド６０がスライドできるように設置され、前記黄信号ロッド６０の左端が前記環状溝５３の中に挿入され、下側の前記圧着溝５６の中には左端が前記回転盤５２と当接している青信号ロッド５７がスライドできるように設置され、前記黄信号ロッド６０と、前記青信号ロッド５７及び前記赤信号ロッド４９がいずれも前記蓄電池５５と電気により接続され、前記黄信号ロッド６０と前記青信号ロッド５７の前端面にはいずれも前記黄信号ロッド６０と前記青信号ロッド５７をそれぞれ復帰させる復帰機構５９が固定的に設置され、二つの前記圧着溝５６の右端壁にはそれぞれ電気接続ブロック５８が固定的に設置され、前記黄信号ロッド６０の右端が上側の前記電気接続ブロック５８と当接していなく、前記青信号ロッド５７の右端と下側の前記電気接続ブロック５８とが当接しており、前記電気接続ブロック５８の右端には電線４５が電気により接続され、上側の前記電線４５と中間の前記指示ライト４４とが電気により接続され、下側の前記電線４５と右側の前記指示ライト４４とが電気により接続され、
前記回転盤５２が回転し三つの前記指示ライト４４を独立的に作動させることを制御する。
【００１４】
初期状態に、回転盤５２と青信号ロッド５７とが当接しており、青信号ロッド５７と電気接続ブロック５８とが当接しており、下側の復帰機構５９が圧縮状態にあり、黄信号ロッド６０が環状溝５３の中に位置している。
【００１５】
装置が作動するとき、蓄電池５５のスイッチをオンにし、蓄電池５５に電気を提供させ、青信号ロッド５７と下側の電線４５により右側の指示ライト４４を通電させ、右側の指示ライト４４が点灯すると進行許可を表示し、モータ５１が作動し回転盤５２を駆動し回転させ、青信号ロッド５７が圧着される過程で右側の指示ライト４４が連続的に照明し、その過程では、黄信号ロッド６０が環状溝５３の中でスライドし、回転盤５２と青信号ロッド５７とが圧着から離脱するとき、青信号ロッド５７が復帰機構５９の作用により左に移動し、青信号ロッド５７を電気接続ブロック５８と離れさせ、それにより右側の指示ライト４４が点灯しなく、このとき、黄信号ロッド６０が環状溝５３の右端壁の圧着を受け、黄信号ロッド６０を右に移動させ電気接続ブロック５８と当接させ、それにより上側の電線４５を通じて中間の指示ライト４４を点灯させ、ゆっくり走行を表示し、回転盤５２と黄信号ロッド６０とが離脱するとき、黄信号ロッド６０が上側の復帰機構５９の作用により左に移動し、黄信号ロッド６０を電気接続ブロック５８と離れさせ、それにより中間の指示ライト４４が点灯しなく、このとき、回転盤５２の左端が赤信号ロッド４９と当接し赤信号ロッド４９を圧着し左に移動させ、また赤信号ロッド４９と通電ブロック４６とが連結され、蓄電池５５の中にある電気を左側の指示ライト４４と連通させ、それにより左側の指示ライト４４が点灯し、次回に回転盤５２が青信号ロッド５７と当接するまで、三つの指示ライト４４を独立させ、且つ固定的な時間に明かりがついたり消えたりさせ、表示パネル４３の位置を変更するとき、ねじりブロック３１を回しウォーム２９にウォームホイール３２を回転連動させ、それにより第一傘歯車３３が回転し、平歯車３７を回転させ、プッシュ板３９が上昇し連結軸４１をプッシュし反時計回りに回転させ垂直状態にさせ、その過程では、第一傘歯車３３がネジ山軸２５を回転連動させ、ネジ山溝２３の作用により昇降ブロック２７を降下させ、また昇降ブロック２７の下端が空きチャンバ２４の中に収縮しており、柱１０を移動するとき、柱１０を下に押し両側の支持板２１を外側に回転させ、それにより回転輪１９が地面と接触し、柱１０を押し、回転輪１９が回転し柱１０を連動させ自由に位置を変わらせ、位置が確定された後、柱１０を放し、それにより支持板２１が初期状態に戻り柱１０を支える。
【００１６】
本発明の有益的な効果は：本発明は構造が簡単で、操作が便利であり、指示ライトが独立的に点灯し、異なる交通情報を指示し、また、各指示ライトの点灯時間が固定であり、そして、該おもちゃ交通信号機の形が、垂直と水平との二つの方式で設置されることができ、装置が柔軟で、本体が自由に動ける。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179107.tif 000003
【図２】
2020179107.tif 000004
【図３】
2020179107.tif 000005
【図４】
2020179107.tif 000006
【図５】
2020179107.tif 000007
【図６】
2020179107.tif 000008